(57)【要約】      （修正有）【課題】表紙を繰り返し使用でき、環境保護概念に基づき表紙の浪費を妨げることができるノートを提供する。【解決手段】表紙、螺旋リング、複数のルーズリーフ、及び最低一つの嵌入棒を具える。螺旋リングはルーズリーフを連結した後、表紙の上表紙及び下表紙の間に入れ、螺旋リングを表紙背表紙の複数の貫通孔に貫通させた後、嵌入棒を螺旋リングと背表紙間に形成した隙間に挿入し、嵌入棒を背表紙に結合する。嵌入棒によって螺旋リングを固定させて、表紙とルーズリーフに安定した結合をさせる。また、嵌入棒の隙間に対する引き抜きまたは挿入によって、ルーズリーフと表紙の取り外しや組み合わせが可能となる故、表紙は繰り返し使用でき、表紙の浪費を防ぎ、環境保護概念に基づくものである。【選択図】図３
0003144032.tif 000002
【実用新案登録請求の範囲】
【請求項１】
上表紙、下表紙、及び背表紙を含み、背表紙には複数の貫通孔を設ける表紙と、
複数のルーズリーフを連結する螺旋リングと、
最低一つの嵌入棒と、を具え、
前記ルーズリーフは、上表紙及び下表紙の間に挿入し、螺旋リングを貫通孔に貫通させると、螺旋リングは背表紙外に突出し、背表紙外側に突出した螺旋リング外側部と背表紙との間には隙間が形成され、嵌入棒を隙間に挿入すると、嵌入棒は背表紙と結合して螺旋リングを固定させることを特徴とするノート。
【請求項２】
前記背表紙は複数の折り線を設け、嵌入棒には複数の折り線に上方向の力を加える鋭角部を具えることを特徴とする請求項１記載のノート。
【請求項３】
前記嵌入棒の一端には、背表紙の一端に引き掛けて結合する為の湾曲部を設けることを特徴とする請求項１記載のノート。
【請求項４】
前記背表紙の最低一端には、湾曲部を収める為の切り口を設けることを特徴とする請求項３記載のノート。
【請求項５】
前記嵌入棒に向き合う湾曲部の内側には突出柱を設け、これに対応する何れか一つの貫通孔に嵌入させることを特徴とする請求項３記載のノート。
【考案の詳細な説明】
【技術分野】
【０００１】
本考案の提供するノートは、特に表紙が分離可能方式によって連結するノートに関するもので、使用者は表紙を繰り返し使用でき、環境保護概念に基づき表紙の浪費を妨げることができる。
【背景技術】
【０００２】
図１に示す通り、公知のノートＡは、表紙１００、螺旋リング２００、及び複数のルーズリーフ３００によって構成される。表紙１００中央には背表紙１０１を形成し、背表紙１０１には複数の穴１０２を設ける。螺旋リング２００にルーズリーフ３００及び複数の穴１０２を連結するとルーズリーフ３００は表紙１００内部に挟み込まれる故、使用者はそのルーズリーフ３００に文字を書くことが可能となる。しかし、ルーズリーフ３００は使い終わったり壊れて使用不可能となった場合、表紙１００とルーズリーフ３００は取り外し分離することができない故、表紙１００は繰り返し使用ができず、環境保護概念に反して表紙１００の浪費が発生する。
【考案の開示】
【考案が解決しようとする課題】
【０００３】
本考案の目的は、ノートを提供することにある。それは、表紙１０、螺旋リング２０、及び最低一つの嵌入棒４０を具える。表紙１０は、上表紙１１、下表紙１２、及び背表紙１３を含み、背表紙１３には複数の貫通孔１５を設ける。螺旋リング２０は複数のルーズリーフ３０を連結する。嵌入棒４０の一端には、湾曲部４２を設け、ルーズリーフ３０と螺旋リング２０を一緒に、上表紙１１及び下表紙１２の間に入れ、並びに螺旋リング２０を貫通孔１５に貫通させると、螺旋リング２０が背表紙１３外に突出し、背表紙１３外側に突出した螺旋リング２０の外側部２１と背表紙１３との間に隙間５０が形成される。続いて嵌入棒４０を隙間５０に挿入すると、湾曲部４２は背表紙１３の一端に引っ掛かり結合される。また、嵌入棒４０によって螺旋リング２０が固定される故、螺旋リング２０の貫通孔１５からの離脱を防ぎ、即刻ノートの組立てが完成する。
【０００４】
前記の最低一つの嵌入棒４０を隙間５０から引き抜いたり挿入することにより、複数のルーズリーフ３００と表紙１０を外したり組み合わせたりできる。表紙１０は繰り返し使用可能で、表紙１０の浪費を防ぎ、環境保護概念に基づくものである。
【０００５】
前記の嵌入棒４０に向き合う湾曲部４２の内側には突出柱４３を設け、これに対応する何れか一つの貫通孔１５に嵌合させる。
【０００６】
前記の背表紙１３は複数の折り線１４を設け、嵌入棒４０には、複数の折り線１４に上方向の力を加える鋭角部を具える。
【０００７】
前記の背表紙１３の最低一端には切り口１６を設け、湾曲部４２を収める。
【課題を解決するための手段】
【０００８】
請求項１の考案は、上表紙、下表紙、及び背表紙を含み、背表紙には複数の貫通孔を設ける表紙と、
複数のルーズリーフを連結する螺旋リングと、
最低一つの嵌入棒と、を具え、
前記ルーズリーフは、上表紙及び下表紙の間に挿入し、螺旋リングを貫通孔に貫通させると、螺旋リングは背表紙外に突出し、背表紙外側に突出した螺旋リング外側部と背表紙との間には隙間が形成され、嵌入棒を隙間に挿入すると、嵌入棒は背表紙と結合して螺旋リングを固定させることを特徴とするノートとしている。
請求項２の考案は、前記背表紙は複数の折り線を設け、嵌入棒には複数の折り線に上方向の力を加える鋭角部を具えることを特徴とする請求項１記載のノートとしている。
請求項３の考案は、前記嵌入棒の一端には、背表紙の一端に引き掛けて結合する為の湾曲部を設けることを特徴とする請求項１記載のノートとしている。
請求項４の考案は、前記背表紙の最低一端には、湾曲部を収める為の切り口を設けることを特徴とする請求項３記載のノートとしている。
請求項５の考案は、前記嵌入棒に向き合う湾曲部の内側には突出柱を設け、これに対応する何れか一つの貫通孔に嵌入させることを特徴とする請求項３記載のノートとしている。
【考案の効果】
【０００９】
本考案のノートは、表紙を繰り返し使用でき、環境保護概念に基づき表紙の浪費を妨げることができることを特徴とする。
【考案を実施するための最良の形態】
【００１０】
図２及び図３に示す通り、本考案のノートＢは、表紙１０、螺旋リング２０、複数を重ね合わせて形成するルーズリーフ３０、及び最低一つの嵌入棒４０を具える。表紙１０は、上表紙１１、下表紙１２、及び背表紙１３を含み、背表紙１３には複数の貫通孔１５を設ける。螺旋リング２０はルーズリーフ３０を連結する。嵌入棒４０の一端には湾曲部４２を設け、嵌入棒４０に向き合う湾曲部４２の内側には突出柱４３を具える。
【００１１】
図４及び図５に示す通り、ルーズリーフ３０と表紙１０を組み合わせる場合、ルーズリーフ３０を連結した螺旋リング２０を上表紙１１及び下表紙１２の間に入れ、並びに螺旋リング２０を複数の貫通孔１５に貫通させると、螺旋リング２０が背表紙１３外に突出し、背表紙１３外側に突出した螺旋リング２０の外側部２１と背表紙１３との間には隙間５０が形成される。続いて嵌入棒４０を隙間５０に挿入すると、湾曲部４２は背表紙１３の一端に引っ掛かり結合される。嵌入棒４０が背表紙１３に結合固定され、突出柱４３はこれに対応する何れか一つの貫通孔１５ａに嵌合する。最低一つの嵌入棒４０が螺旋リング２０を固定する故、螺旋リング２０の貫通孔１５からの離脱を防止し、これにより、ノートＢの組立てが完成する。
【００１２】
ノートＢ内のルーズリーフ３０を使い終わったか壊れて使用不可能になった場合は、嵌入棒４０を隙間５０から引き抜くことができ、突出柱４３が、これに対応して嵌合している貫通孔１５ａを離れると、螺旋リング２０は嵌入棒４０の制御を受けなくなり、貫通孔１５を離脱できる。使い終わったり壊れて使用不可能なルーズリーフ３０は、螺旋リング２０と共に表紙１０から取り外すことができ、分離後の表紙１０は繰り返し使用できる。前述の組み合わせ方式に基づき、分離後の表紙１０、新しい螺旋リング２０、及び新しいルーズリーフ３０を改めて組み合わせることができる。
【００１３】
図３及び図４に示す通り、前述の湾曲部４２に向き合う嵌入棒４０の内側には鋭角部を具え、背表紙１３には複数の折り線１４を設ける。嵌入棒４０を背表紙１３と螺旋リング２０の外側部２１の間の隙間５０に挿入する場合、鋭角部４１は折り線１４に抵抗する力を働かせ、また、背表紙１３に対して内側方向の力を加える故、上表紙１１及び下表紙１２を平坦でへこまない状態に保持する。
【００１４】
図２及び図５に示す通り、前述の背表紙１３の最低一端には切り口１６を具え、切り口１６には湾曲部４２を収め、嵌入棒４０が背表紙１３に結合される時、背表紙１３端はフラット状態となる。
【００１５】
図６に、二つの嵌入棒４０をそれぞれ背表紙１３の両側端に挿入したノートＢを示す。これはサイズの大きなノートＢに適応する。二つの嵌入棒４０を背表紙１３両側端に結合する構造及び特徴は前述と同様であり、ここでは説明を省略する。
【００１６】
前述の通り、本考案の進歩性は、表紙１０と複数のルーズリーフ３０に連結した螺旋リング２０にあり、最低一つの嵌入棒４０を貫通結合することにより、ルーズリーフ３０が使い終わったり壊れて使用できず新しくする必要がある場合、嵌入棒４０を隙間５０から引き抜いたり挿入することにより、ルーズリーフ３０と表紙１０を分離または結合する。分離した後の表紙１０には、新しいルーズリーフ３０及び新しい螺旋リング２０を改めて結合でき、表紙１０は繰り返し使用可能で、表紙１０の浪費を避け、環境保護概念に基づくものである。
【図面の簡単な説明】
【００１７】
【図１】従来品の立体図である。
【図２】本考案の立体図である。
【図３】本考案の立体分解図である。
【図４】本考案の部分側面断面図である。
【図５】本考案の部分上面断面図である。
【図６】本考案の実施例２の立体分解図である。
【符号の説明】
【００１８】
１０  表紙
１００  表紙
１０１  背表紙
１０２  穴
１１  上表紙
１２  下表紙
１３  背表紙
１４  折り線
１５  貫通孔
１５ａ  貫通孔
１６  切り口
２０  螺旋リング
２００  螺旋リング
２１  外側部
３０  ルーズリーフ
３００  ルーズリーフ
４０  嵌入棒
４１  鋭角部
４２  湾曲部
４３  突出柱
５０  隙間
【図１】
0003144032.tif 000003
【図２】
0003144032.tif 000004
【図３】
0003144032.tif 000005
【図４】
0003144032.tif 000006
【図５】
0003144032.tif 000007
【図６】
0003144032.tif 000008